(57)【要約】【課題】低消費電力で、発光可能な操作部の視認性を向上させることが可能な撮像装置を提供する。【解決手段】撮像装置（１００）は、撮像光学系（２）を介して形成された被写体像を光電変換して画像データを出力する撮像手段（２１）と、発光可能な操作手段（７、８、９）と、被写体像を観察するためのファインダ（１０）と、ファインダから入射した光に基づいて測光値を取得する測光手段（２４）と、測光値に基づいて操作手段の発光制御を行う制御手段（２０）とを有する。【選択図】図４
2019113718.tif 000002
【特許請求の範囲】
【請求項１】
撮像光学系を介して形成された被写体像を光電変換して画像データを出力する撮像手段と、
発光可能な操作手段と、
前記被写体像を観察するためのファインダと、
前記ファインダから入射した光に基づいて測光値を取得する測光手段と、
前記測光値に基づいて前記操作手段の発光制御を行う制御手段と、を有することを特徴とする撮像装置。
【請求項２】
前記測光手段は、前記撮像光学系からの光を遮光した状態で、前記測光値を取得することを特徴とする請求項１に記載の撮像装置。
【請求項３】
撮影光路に進入した第１の位置と前記撮影光路から退避した第２の位置との間で移動可能なミラーユニットを更に有し、
前記測光手段は、前記ミラーユニットが前記第２の位置にある状態で前記ファインダから入射した前記光に基づいて、前記測光値を取得することを特徴とする請求項１または２に記載の撮像装置。
【請求項４】
前記制御手段は、前記撮像手段による撮像動作が終了した後、前記操作手段の前記発光制御を行うことを特徴とする請求項１乃至３のいずれか１項に記載の撮像装置。
【請求項５】
前記制御手段は、前記測光手段が第１の所定の期間において前記測光値を取得しない場合、前記撮像動作が終了したと判定することを特徴とする請求項４に記載の撮像装置。
【請求項６】
前記制御手段は、前記ファインダからユーザの顔が所定の距離以上離れた場合、前記撮像動作が終了したと判定することを特徴とする請求項４または５に記載の撮像装置。
【請求項７】
前記制御手段は、前記撮像装置の所定の姿勢変化があった場合、前記撮像動作が終了したと判定することを特徴とする請求項４乃至６のいずれか１項に記載の撮像装置。
【請求項８】
前記画像データに対応する画像を表示する表示手段を更に有し、
前記制御手段は、前記表示手段および前記操作手段のそれぞれの輝度に基づいて前記操作手段の発光制御を行うことを特徴とする請求項１乃至７のいずれか１項に記載の撮像装置。
【請求項９】
前記制御手段は、
前記測光値が所定の閾値よりも大きい場合、前記操作手段が所定の輝度以下で発光するように前記発光制御を行い、
前記測光値が前記所定の閾値よりも小さい場合、前記操作手段の輝度が前記表示手段の輝度よりも小さくなるように前記発光制御を行うことを特徴とする請求項８に記載の撮像装置。
【請求項１０】
前記制御手段は、前記測光値が前記所定の閾値よりも小さい場合、前記表示手段と前記操作手段との輝度差が所定の輝度差以下になるように前記発光制御を行うことを特徴とする請求項９に記載の撮像装置。
【請求項１１】
前記制御手段は、前記表示手段と前記操作手段との輝度差の変化量が第２の所定の期間において所定の変化量よりも大きい場合、前記操作手段の輝度を一定の輝度に保つように前記発光制御を行うことを特徴とする請求項８乃至１０のいずれか１項に記載の撮像装置。
【請求項１２】
前記操作手段は、第１の操作手段および第２の操作手段を有し、
前記制御手段は、動画撮影中に前記表示手段に表示された前記画像に基づいて、前記第１の操作手段の輝度と前記第２の操作手段の輝度とが互いに異なるように前記発光制御を行うことを特徴とする請求項８乃至１１のいずれか１項に記載の撮像装置。
【請求項１３】
前記第１の操作手段は、動画の開始および停止を指示するためのＡＦ釦であり、
前記第２の操作手段は、合焦制御を指示するためのＡＦ釦であることを特徴とする請求項１２に記載の撮像装置。
【請求項１４】
撮像光学系を介して形成された被写体像を光電変換する撮像手段と、発光可能な操作手段と、前記被写体像を観察するためのファインダとを有する撮像装置の制御方法であって、
前記撮像光学系からの光を遮光した状態で、前記ファインダから入射した光に基づいて測光値を取得するステップと、
前記測光値に基づいて、発光可能な操作手段の発光制御を行うステップと、を有することを特徴とする撮像装置の制御方法。
【請求項１５】
撮像光学系を介して形成された被写体像を光電変換する撮像手段と、発光可能な操作手段と、前記被写体像を観察するためのファインダとを有する撮像装置のコンピュータに実行させるプログラムであって、
前記撮像光学系からの光を遮光した状態で、前記ファインダから入射した光に基づいて測光値を取得するステップと、
前記測光値に基づいて、発光可能な操作手段の発光制御を行うステップと、を前記コンピュータに実行させることを特徴とするプログラム。
【発明の詳細な説明】
【技術分野】
【０００１】
本発明は、操作部材の発光制御が可能な撮像装置に関する。
【背景技術】
【０００２】
従来、表示部と操作部とを有し、表示部または操作部が発光可能な電子機器において、周囲の明るさを照度センサ等で検出して表示部または操作部の発光量を制御する方法が知られている。例えば特許文献１には、本体の傾斜角度と照度センサにより検出される光の照度とに基づいて周囲の明るさを計算し、表示部または操作部の発光量を調整する方法が開示されている。
【先行技術文献】
【特許文献】
【０００３】
【特許文献１】特開２０１０−３４９１４号公報
【発明の概要】
【発明が解決しようとする課題】
【０００４】
しかしながら、特許文献１に開示された方法では、周囲の明るさに応じて照明装置のＯＮ／ＯＦＦが制御される。このため、静止画撮影中などの照明不要なシチュエーションにおいても照明され、消費電力が増加する。また特許文献１に開示された方法では、発光の際における表示部または操作部の視認性を向上させることができない。
【０００５】
そこで本発明は、低消費電力で、発光可能な操作部の視認性を向上させることが可能な撮像装置、撮像装置の制御方法、および、プログラムを提供することを目的とする。
【課題を解決するための手段】
【０００６】
本発明の一側面としての撮像装置は、撮像光学系を介して形成された被写体像を光電変換して画像データを出力する撮像手段と、発光可能な操作手段と、前記被写体像を観察するためのファインダと、前記ファインダから入射した光に基づいて測光値を取得する測光手段と、前記測光値に基づいて前記操作手段の発光制御を行う制御手段とを有する。
【０００７】
本発明の他の側面としての撮像装置の制御方法は、撮像光学系を介して形成された被写体像を光電変換する撮像手段と、発光可能な操作手段と、前記被写体像を観察するためのファインダとを有する撮像装置の制御方法であって、前記撮像光学系からの光を遮光した状態で、前記ファインダから入射した光に基づいて測光値を取得するステップと、前記測光値に基づいて、発光可能な操作手段の発光制御を行うステップとを有する。
【０００８】
本発明の他の側面としてのプログラムは、コンピュータに前記撮像装置の制御方法を実行させる。
【０００９】
本発明の他の目的及び特徴は、以下の実施形態において説明される。
【発明の効果】
【００１０】
本発明によれば、低消費電力で、発光可能な操作部の視認性を向上させることが可能な撮像装置、撮像装置の制御方法、および、プログラムを提供することができる。
【図面の簡単な説明】
【００１１】
【図１】本実施形態における撮像装置の外観図である。
【図２】本実施形態における撮像装置の断面図である。
【図３】本実施形態における撮像装置のブロック図である。
【図４】本実施形態における第１の釦発光制御のフローチャートである。
【図５】本実施形態における第２の釦発光制御のフローチャートである。
【図６】本実施形態における第３の釦発光制御のフローチャートである。
【図７】本実施形態における第４の釦発光制御のフローチャートである。
【図８】本実施形態における第５の釦発光制御のフローチャートである。
【発明を実施するための形態】
【００１２】
以下、本発明の実施形態について、図面を参照しながら詳細に説明する。各図において、同一の部材については同一の参照符号を付し、重複する説明は省略する。
【００１３】
まず、図１を参照して、本実施形態における撮像装置の構成について説明する。図１は撮像装置１００の外観図であり、図１（ａ）は正面側から見た撮像装置１００の斜視図、図１（ｂ）は背面側から見た撮像装置１００の斜視図である。図１（ａ）において、１は撮像装置本体（カメラ本体）、２は撮像レンズ（撮像光学系）、２ａは光軸（撮影光軸）、３はグリップ部、４は撮像動作を開始するための起点信号を出力するＳＷ（スイッチ）であるレリーズ釦である。
【００１４】
図１（ｂ）において、５は撮像装置本体１を起動させるメインＳＷ（メインスイッチ）、６は撮影した静止画を表示し、または動画撮影中に撮影動画を表示する表示部である。表示部６は例えば液晶パネルであり、バックライトを備えて表示画面を発光することができる。また表示部６は、表示領域の一定の範囲内の発光量を検出し、表示部６の輝度を検出することができる。
【００１５】
７は、動画撮影を開始または停止するための動画釦である。８は、被写体像を自動で合焦するためのＡＦ釦である。９は、撮影画像を表示部６に表示させるための再生釦である。動画釦７、ＡＦ釦８、および、再生釦９はそれぞれ、撮像装置本体１の背面に配置された操作部材（操作手段）である。動画釦７、ＡＦ釦８、および、再生釦９はそれぞれ、光を透過する材質からなり、発光するためのＬＥＤ（不図示）を内部に備えている。これにより、内部のＬＥＤが発光すると、動画釦７、ＡＦ釦８、および、再生釦９は発光することができる。本実施形態において、透過部材からなる釦とＬＥＤとを用いて各釦が発光可能に構成されているが、これに限定されるものではなく、発光制御および発光量を制御して発光可能な操作部材であれば他の構成でもよい。
【００１６】
１０は、ユーザが静止画撮影の際に覗き込むことにより撮像レンズ２から入射した被写体像を観察することが可能なファインダである。グリップ部３は、ユーザが撮影の際に撮像装置本体１を保持する部分であり、ユーザが握りやすいように凸形状となっている。撮像レンズ２、光軸２ａ、レリーズ釦４、メインＳＷ５、表示部６、動画釦７、ＡＦ釦８、および、再生釦９の詳細に関しては、撮像装置１００の主要な電気的構成を示すブロック図（図３）を参照して後述する。
【００１７】
次に、図２を参照して、撮像装置１００の内部構成について説明する。図２は、撮像装置１００の断面図である。図２（ａ）はミラーユニット１１がミラーダウン位置にある場合（ミラーダウン状態）における図１（ａ）中のＡ−Ａ断面図、図２（ｂ）はミラーユニット１１がミラーアップ位置にある場合（ミラーアップ状態）における図１（ａ）中のＡ−Ａ断面図である。
【００１８】
図２（ａ）において、ミラーユニット１１は、ハーフミラーで構成されたメインミラー１２と、サブミラー１３とを有する。ミラーユニット１１は、撮影の際に撮影光路から退避する位置（ミラーアップ位置）に移動し、ファインダ１０の観察の際に撮影光路内に進入する位置（ミラーダウン位置）に移動する。メインミラー１２は、ミラーユニット１１のミラーダウン位置（図２（ａ））において、撮像レンズ２を通過した光束（被写体光束）を反射してファインダ１０へ導くとともに、被写体光束の一部を透過させてサブミラー１３に導く。サブミラー１３は、メインミラー１２を透過した被写体光束を反射して不図示の焦点検出ユニットへ導く。一方、ミラーユニット１１のミラーアップ位置（図２（ｂ））では、撮像レンズ２を通過した被写体光束は、撮像部（撮像手段）２１に導かれる。撮像部２１は、ＣＭＯＳセンサやＣＣＤセンサなどの撮像素子を備え、撮像レンズ（撮像光学系）２を介して形成された被写体像（光学像）を光電変換して画像データを出力する。
【００１９】
ペンタプリズム２３は、図２（ａ）に示されるミラーダウン状態において、メインミラー１２により反射された被写体光束を正立正像に変換して反射する。ユーザは、ペンタプリズム２３により変換された正立正像を、ファインダ１０を介して被写体像として観察することができる。またペンタプリズム２３は、被写体光束の一部を測光センサ（測光手段、ＡＥセンサ）２４に導く（図２（ａ）中の点線矢印）。不図示の測光回路は、測光センサ２４の測光結果に基づいて、観察面上の各エリアの輝度信号に変換し、制御部（制御手段）２０に出力する。制御部２０は、測光回路から出力された輝度信号に基づいて、露出値を算出する。
【００２０】
図２（ｂ）において、ミラーユニット１１がミラーアップ状態で光軸２ａから退避しているため、測光センサ２４への光束が遮光されているが、ファインダ１０は遮光されていない（図２（ｂ）中の点線矢印）。このため、ファインダ１０から入射する光束は、ペンタプリズム２３の反射を通して測光センサ２４に照射される。これをファインダ逆入光と呼ぶ。
【００２１】
このように本実施形態において、測光センサ２４は、ファインダ１０から入射した光に基づいて（撮像レンズ２からの光を遮光した状態で）測光値を取得する（ユーザ側の明るさを測定する）ことができる。そして制御部２０は、測光センサ２４から出力された測光値に基づいて各操作部材の発光制御を行う。好ましくは、ミラーユニット１１は、撮影光路に進入した第１の位置（ミラーダウン位置）と撮影光路から退避した第２の位置（ミラーアップ位置）との間で移動可能である。そして測光センサ２４は、ミラーユニット１１が第２の位置にある状態でファインダから入射した光に基づいて、測光値を取得する。
【００２２】
次に、図３を参照して、撮像装置１００の主要な電気的構成について説明する。図３は、撮像装置１００の主要な電気的構成を示すブロック図である。制御部２０は、撮像装置本体１に内蔵された、撮像装置１００の動作の制御や記憶を司るマイクロコンピュータ（カメラＣＰＵ）である。制御部２０は、撮像装置１００の各要素からの情報の処理や各要素に対する指示、および、各情報の記憶を行う。また制御部２０には、レリーズ釦４、メインＳＷ５、表示部６、動画釦７、ＡＦ釦８、再生釦９、測光センサ２４、撮像部２１、および、マウント接点２２が電気的に接続されている。
【００２３】
制御部２０は、メインＳＷ５のＯＮ信号を検出すると、撮像装置本体１を起動する。また制御部２０は、レリーズ釦４のＯＮ信号を検出すると、撮像部２１に被写体像（被写体情報）の撮像を行わせて画像データを出力させる。また制御部２０は、撮像部２１から出力された画像データ（被写体情報）に対応する画像を表示部６に表示させる。また制御部２０は、表示部６に表示部輝度を検出させるとともに、表示部６のライトガイドに流す電流量を制御することで表示部６の表示部輝度を制御する。また制御部２０は、ＡＦ釦８のＯＮ信号を検出すると、マウント接点２２を介した撮像レンズ２の制御により撮像部２１に光軸２ａの焦点を合わせるように撮像レンズ２を調整する。また制御部２０は、再生釦９のＯＮ信号を検出することによっても、画像データを表示部６に表示させる。また制御部２０は、動画釦７のスタート信号を検出すると、撮像部２１に被写体情報の動画記録を開始させる。記録動画像は、制御部２０を介して、リアルタイムに表示部６に表示される。また制御部２０は、動画釦７のストップ信号（動画記録中の動画釦７の操作による信号）を検出すると、撮像部２１に被写体情報の動画記録を停止させる。
【００２４】
制御部２０は、動画釦７およびＡＦ釦８のそれぞれに内蔵されたＬＥＤの消費電力から動画釦７およびＡＦ釦８の輝度を算出し、ＬＥＤの電流量を制御することにより、動画釦７およびＡＦ釦８の輝度を制御する。また制御部２０は、動画釦７およびＡＦ釦８に対して、ＬＥＤの消費電力を制御することにより発光開始および発光停止を制御する。
【００２５】
測光センサ２４は、光量および色彩を検出する機能を有する。制御部２０は、測光センサ２４により検出された光量および色彩に関する情報（光量情報および色彩情報）に基づいて、撮像部２１の感光制御を行う。また測光センサ２４は、ファインダ１０から撮像装置本体１の内部に入射する光（ファインダ逆入光）に関しても、光量および色彩を検出することができる。測光タイマ３０は、測光値の取得間隔などの測光処理に関する時間を計測する。姿勢検知手段３１は、角速度センサやジャイロセンサなどを有し、撮像装置本体１の姿勢（姿勢変化）を検知する。接眼検知手段３２は、ユーザの顔がファインダ１０から所定の距離の範囲内にあることを検知する。
【００２６】
次に、図４を参照して、本実施形態における第１の釦発光制御（ＯＶＦ撮影）について説明する。図４は、第１の釦発光制御のフローチャートである。図４の各ステップは、主に制御部２０により実行される。
【００２７】
まずステップＳ５０１において、制御部２０は、レリーズ釦４が押されたか否か、すなわちレリーズ釦４がＯＮか否かを判定する。レリーズ釦４が押されていない場合、制御部２０はそのまま待機し、ステップＳ５０１を繰り返す。一方、レリーズ釦４が押された場合、ステップＳ５０２に進む。ステップＳ５０２において、ミラーユニット１１は光軸２ａから退避し、図２（ｂ）に示されるミラーアップ状態となる。このため、撮像レンズ２から測光センサ２４への光束は、ミラーユニット１１により遮光される。
【００２８】
続いてステップＳ５０３において、制御部２０は、測光センサ２４から測光値を取得する。撮像レンズ２から測光センサ２４への光束は遮光されているため、測光センサ２４から取得された測光値はファインダ逆入光量を示す。続いてステップＳ５０４において、制御部２０は、被写体像を撮像するように撮像部２１を制御する。本実施形態において、撮像は測光値の取得後に行われるが、ステップＳ５０２とステップＳ５０５との間であれば、撮像と測光値の取得との順番はこれに限定されるものではない。
【００２９】
続いてステップＳ５０５において、ミラーユニット１１はミラーダウン位置（ミラーダウン状態）に戻り、ファインダ１０に被写体光束が導かれる。続いてステップＳ５０６において、制御部２０は、ユーザが撮像を終了した否か、すなわち撮像部２１による撮像動作が終了したか否かを判定する。制御部２０は、例えば、測光タイマ３０からの出力信号、接眼検知手段３２のオフ信号、または、姿勢検知手段３１の出力信号に基づいて、撮像動作の終了を判定する。
【００３０】
測光タイマ３０を撮像終了判定に用いる例では、制御部２０は、所定の期間（第１の所定の期間）においてユーザによる測光が行われなかった場合、すなわち測光センサ２４が所定の期間において測光値を取得していない場合、撮像動作が終了したと判定する。接眼検知手段３２を撮像終了判定に用いる例では、制御部２０は、ファインダ１０からユーザの顔が所定の距離以上離れた場合、撮像動作が終了したと判定する。このため接眼検知手段３２は、ファインダ１０の接眼窓付近に配置することが好ましい。姿勢検知手段３１を撮像終了判定に用いる例では、ステップＳ５０５からステップＳ５０６の間に例えば撮像画像を確認するために撮像装置本体１を下に向けるような姿勢変化（所定の姿勢変化）があった場合、制御部２０は撮像動作が終了したと判定する。なお誤検知を防止するため、撮像装置本体１の姿勢が左右方向に変化した際には撮像継続の可能性があるため撮像終了と判定せず、撮像装置本体１の姿勢を上下方向に変化させた際に撮像終了と判定することができる。
【００３１】
続いてステップＳ５０７において、制御部２０は、ステップＳ５０３にて取得した測光値が所定の閾値（第１の閾値）以下であるか否かを判定する。ステップＳ５０３にて取得した測光値が所定の閾値よりも大きい場合、ステップＳ５０９に進む。ステップＳ５０９において、制御部２０は、各釦を発光させることなく、ステップＳ５０１に戻る。一方、測光値が所定の閾値以下である場合、ステップＳ５０８に進む。このとき、ユーザ側の環境が暗い環境であり、釦周辺に印刷などで表記される釦機能の表記の視認が困難であると判定される。このため制御部２０は、再生釦９などの釦を発光させる。なお本実施形態において、発光される釦は再生釦９に限定されるものではない。ただし、撮像後に操作する頻度の高い釦、再生釦９に加えて、消去釦や画像拡大／縮小釦など、撮像後に操作する頻度が高い釦を発光させることが好ましい。
【００３２】
続いてステップＳ５１０において、制御部２０は、ステップＳ５０８にて釦を発光してから予め設定した一定時間が経過したか否かを判定する。一定時間が経過した場合、ステップＳ５１１に進む。ステップＳ５１１において、制御部２０は発光させた釦を消灯（発光を停止）し、本フローは終了する。一方、一定時間がまだ経過していない場合、ステップＳ５１２に進む。ステップＳ５１２において、制御部２０は、ＡＦ釦８が操作されたか否か、または、レリーズ釦４が半押しされたか否か、すなわち合焦操作が行われたか否かを判定する。ステップＳ５１２にて合焦操作が行われた場合、その後も撮像動作が継続されると判定されるため、ステップＳ５１３に進む。ステップＳ５１３において、制御部２０は、発光させた釦を消灯（発光を停止）し、ステップＳ５０１に戻る。一方、ステップＳ５１２にて合焦操作が行われない場合、ステップＳ５１０に戻る。
【００３３】
次に、図５を参照して、本実施形態における第２の釦発光制御（ライブビュー撮影）について説明する。図５は、第２の釦発光制御のフローチャートである。図５の各ステップは、主に制御部２０により実行される。
【００３４】
まずステップＳ６０１において、制御部２０は、動画釦７が押されたか否かを判定する。本実施形態では、静止画モードにおいて動画釦７を押すことによりライブビュー（ＬＶ）が開始する。なお、動画撮影モードモードでは、動画釦７を押すことにより動画の録画が開始する。動画釦７が押されていない場合、そのまま待機し、ステップＳ６０１を繰り返す。一方、動画釦７が押された場合、ステップＳ６０２に進む。ステップＳ６０２において、ミラーユニット１１は光軸２ａから退避し、図２（ｂ）に示されるミラーアップ状態となる。このため、撮像レンズ２から測光センサ２４への光束は、ミラーユニット１１により遮光される。
【００３５】
続いてステップＳ６０３において、制御部２０は、レリーズ釦４が押されたか否か、すなわちレリーズ釦４がＯＮか否かを判定する。レリーズ釦４が押されていない場合、制御部２０はそのまま待機し、ステップＳ６０３を繰り返す。一方、レリーズ釦４が押された場合、ステップＳ６０４に進む。
【００３６】
ステップＳ６０４において、制御部２０は、測光センサ２４から測光値を取得する。撮像レンズ２から測光センサ２４への光束は遮光されているため、測光センサ２４から取得された測光値はファインダ逆入光量を示す。続いてステップＳ６０５において、制御部２０は、被写体像を撮像するように撮像部２１を制御する。本実施形態において、撮像は測光値の取得後に行われるが、ステップＳ６０３とステップＳ６０６との間であれば、撮像と測光値の取得との順番はこれに限定されるものではない。
【００３７】
続いてステップＳ６０６において、制御部２０は、ユーザが撮像を終了した否かを判定する。制御部２０は、測光タイマ３０からの出力信号、接眼検知手段３２のオフ信号、または、姿勢検知手段３１の出力信号に基づいて、撮像の終了を判定する。続いてステップＳ６０７において、制御部２０は、ステップＳ６０４にて取得した測光値が所定の閾値（第２の閾値）以下であるか否かを判定する。なお、第２の釦発光制御はライブビュー撮影での制御であるため、ファインダ１０を覗いて撮像を行うＯＶＦ撮影での第１の釦発光制御と比べて、ファインダ逆入光量が多くなる。したがって、第２の釦発光制御における所定の閾値は、第１の釦発光制御における所定の閾値と異なることが好ましい。
【００３８】
ステップＳ６０４にて取得した測光値が所定の閾値よりも大きい場合、ステップＳ６０９に進む。ステップＳ６０９において、制御部２０は、各釦を発光させることなく、ステップＳ６０３に戻る。一方、測光値が所定の閾値以下である場合、ステップＳ６０８に進む。このとき、ユーザ側の環境が暗い環境であり、釦周辺に印刷などで表記される釦機能の表記の視認が困難であると判定される。このため制御部２０は、再生釦９などの釦を発光させる。なお本実施形態において、発光される釦は再生釦９に限定されるものではない。ただし、撮像後に操作する頻度の高い釦、再生釦９に加えて、消去釦や画像拡大／縮小釦など、撮像後に操作する頻度が高い釦を発光させることが好ましい。
【００３９】
続いてステップＳ６１０において、制御部２０は、ステップＳ６０８にて釦を発光してから予め設定した一定時間が経過したか否かを判定する。一定時間がまだ経過していない場合、ステップＳ６１２に進む。ステップＳ６１２において、制御部２０は、ＡＦ釦８が操作されたか否か、または、レリーズ釦４が半押しされたか否か、すなわち合焦操作が行われたか否かを判定する。ステップＳ６１２にて合焦操作が行われた場合、その後も撮像動作が継続されると判定されるため、ステップＳ６１３に進む。ステップＳ６１３において、制御部２０は、発光させた釦を消灯（発光を停止）し、ステップＳ６０３に戻る。一方、ステップＳ６１２にて合焦操作が行われない場合、ステップＳ６１０に戻る。
【００４０】
一方、ステップＳ６１０にて一定時間が経過した場合、ステップＳ６１１に進む。ステップＳ６１１において、制御部２０は、発光させた釦を消灯（発光を停止）する。続いてステップＳ６１４において、制御部２０は、ライブビュー撮影を終了するか否かを判定する。ライブビュー撮影を終了しない場合、ステップＳ６０３に戻る。一方、ライブビュー撮影を終了する場合、ステップＳ６１５に進む。ステップＳ６１５において、ミラーユニット１１はミラーアップ位置からミラーダウン位置に戻り、ファインダ１０に被写体光束が導かれる。
【００４１】
次に、図６を参照して、本実施形態における第３の釦発光制御について説明する。図６は、第３の釦発光制御のフローチャートである。図６の各ステップは、主に制御部２０により実行される。
【００４２】
まずステップＳ１００において、制御部２０は、動画釦７の開始信号を検出したか否かを判定する。制御部２０は、動画釦７の開始信号を検出していない場合、そのまま待機し、ステップＳ１００を繰り返す。一方、制御部２０は、動画釦７の開始信号を検出した場合、撮像部２１に被写体情報の動画記録を開始させ、ステップＳ１０１に進む。記録動画像は、制御部２０を介して、リアルタイムに表示部６に表示される。
【００４３】
ステップＳ１０１において、制御部２０は、測光センサ２４に対してファインダ逆入光の測光値を検出させ、測光センサ２４からの測光値を取得する。続いてステップＳ１０２において、制御部２０は、測光センサ２４から取得した測光値が第１の閾値以下であるか否かを判定する。測光値が所定の閾値（第１の閾値）よりも大きい場合、ステップＳ１０３に進む。ステップＳ１０３において、制御部２０は、発光している動画釦７およびＡＦ釦８などの各釦を消灯させる。このように制御部２０は、ユーザ側の環境が明るいこと（日中の屋外のような環境）を検出した場合、動画釦７およびＡＦ釦８を消灯することにより、消費電力を低減することができる。
【００４４】
一方、測光値が第１の閾値以下である場合、ステップＳ１０４に進む。ステップＳ１０４において、制御部２０は、測光センサ２４から取得した測光値が所定の閾値以下（第２の閾値以下）であるか否かを判定する。測光値が第２の閾値よりも大きい場合（すなわち、測光値が第１の閾値以下であって、かつ第２の閾値よりも大きい場合）、ステップＳ１０５に進む。ステップＳ１０５において、制御部２０は、動画釦７およびＡＦ釦８を低輝度で発光させる。このように制御部２０は、ユーザ側の環境が薄暗いこと（夕方の屋外のような環境）を検出した場合、動画釦７およびＡＦ釦８を低輝度発光させることにより、消費電力を低減しつつ視認性を向上させることができる。
【００４５】
一方、ステップＳ１０４にて測光値が第２の閾値以下である場合、制御部２０は、表示部６に輝度（表示部輝度）を検出させる。続いてステップＳ１０７において、制御部２０は、動画釦７およびＡＦ釦８の輝度（釦輝度）を算出する。続いてステップＳ１０８において、制御部２０は、ステップＳ１０６にて検出された表示部輝度と、ステップＳ１０７にて算出された釦輝度とに基づいて、表示部輝度以下になるように釦輝度を再設定し、動画釦７およびＡＦ釦８を設定釦輝度で発光させる。
【００４６】
続いてステップＳ１０９において、制御部２０は、表示部６が検出した表示部輝度と、動画釦７およびＡＦ釦８の消費電流に基づいて算出された釦輝度との差分（輝度差）が所定の閾値（所定の輝度差）以下であるか否かを判定する。表示部輝度と釦輝度との輝度差が所定の輝度差よりも大きい場合、ステップＳ１０６に戻る。そして制御部２０は、再度、釦輝度を算出し、表示部輝度に追従させる（ステップＳ１０７、Ｓ１０８）。これにより制御部２０は、ユーザ側の環境が暗いこと（夜の屋外のような環境）を検出し、表示部６、動画釦７、および、ＡＦ釦８の視認性を向上させることができる。
【００４７】
一方、ステップＳ１０９にて表示部輝度と釦輝度との輝度差が所定の輝度差以下である場合、ステップＳ１１０に進む。ステップＳ１１０において、制御部２０は、動画の録画が停止したか否かを判定する。動画の録画が停止していない場合、ステップＳ１０９に戻る。一方、動画の録画が停止した場合、本フローを終了する。なお第３の釦発光制御は、動画釦７およびＡＦ釦８を対象としているが、これらに限定されるものではなく、他の釦を対象としてもよい。
【００４８】
このように制御部２０は、測光値が所定の閾値（第２の閾値）よりも大きい場合、動画釦７およびＡＦ釦８（操作手段）が所定の輝度以下で発光するように発光制御を行う（ステップＳ１０３、Ｓ１０５）。一方、制御部２０は、測光値が所定の閾値（第２の輝度）よりも小さい場合、操作手段の輝度が表示部６の輝度よりも小さくなるように操作手段の発光制御を行う（ステップＳ１０９）。また制御部２０は、測光値が所定の閾値（第２の閾値）よりも小さい場合、表示部６と操作手段との輝度差が所定の輝度差以下になるように操作手段の発光制御を行う（ステップＳ１０９）。
【００４９】
次に、図７を参照して、本実施形態における第４の釦発光制御について説明する。図７は、第４の釦発光制御のフローチャートである。図７の各ステップは、主に制御部２０により実行される。
【００５０】
まずステップＳ１００において、図６の第３の釦発光制御と同様に、制御部２０は、動画釦７の開始信号を検出したか否かを判定する。制御部２０は、動画釦７の開始信号を検出していない場合、そのまま待機し、ステップＳ１００を繰り返す。一方、制御部２０は、動画釦７の開始信号を検出した場合、撮像部２１に被写体情報の動画記録を開始させ、ステップＳ１２０に進む。
【００５１】
ステップＳ１２０において、制御部２０は、表示部輝度と釦輝度との輝度差が所定の期間（第２の所定の期間）で所定の変化量よりも大きいか否か、すなわち表示部輝度と釦輝度との輝度差が頻繁に変化したか否かを判定する。表示部輝度と釦輝度との輝度差の変化量が所定の期間で所定の変化量以下である場合、ステップＳ１２０を繰り返す。一方、表示部輝度と釦輝度との輝度差の変化量が所定の期間で所定の変化量よりも大きい場合、ステップＳ１２１に進む。
【００５２】
ステップＳ１２１において、制御部２０は、動画釦７およびＡＦ釦８の輝度が変化しないように（一定の輝度に保つように）輝度を固定する（各釦の発光制御を行う）。これにより、頻繁に釦輝度が変化することにより視認性が低下することを防止することができる。
【００５３】
次に、図８を参照して、本実施形態における第５の釦発光制御について説明する。図８は、第５の釦発光制御のフローチャートである。図８の各ステップは、主に制御部２０により実行される。
【００５４】
まずステップＳ１００において、図６の第３の釦発光制御と同様に、制御部２０は、動画釦７の開始信号を検出したか否かを判定する。制御部２０は、動画釦７の開始信号を検出していない場合、そのまま待機し、ステップＳ１００を繰り返す。一方、制御部２０は、動画釦７の開始信号を検出した場合、撮像部２１に被写体情報の動画記録を開始させ、ステップＳ１３０に進む。
【００５５】
ステップＳ１３０において、制御部２０は、撮像部２１に結像している被写体像が合焦しているか否かを判定する。被写体像が合焦していない場合、ステップＳ１３１に進む。ステップＳ１３１において、制御部２０は、ＡＦ釦８の輝度（ＡＦ釦輝度）が動画釦７の輝度（動画釦輝度）よりもが明るくなるように釦輝度を設定する。これにより、ユーザが合焦を行おうとする場合に、その目的に沿った釦（ＡＦ釦８）を目立つように発光させ、操作性を向上させることができる。ステップＳ１３１にて釦輝度を設定した後、ステップＳ１３０に戻る。
【００５６】
一方、ステップＳ１３１にて被写体像が合焦している場合、ステップＳ１３２に進む。ステップＳ１３２において、制御部２０は、動画記録時間が所定の閾値以下であるか否かを判定する。動画記録時間が所定の閾値よりも長い場合、ステップＳ１３３に進む。ステップＳ１３３において、制御部２０は、動画釦輝度がＡＦ釦輝度よりも明るくなるように釦輝度を設定する。
【００５７】
このように操作手段は、動画の開始および停止を指示するための第１の操作手段（動画釦７）と、合焦制御を指示するための第２の操作手段（ＡＦ釦８）とを有する。そして制御部２０は、動画撮影中に表示部６に表示された画像に基づいて、動画釦７の輝度とＡＦ釦８の輝度とが互いに異なるように発光制御を行う。これにより、ユーザが動画記録を停止しようとする場合に、その目的に沿った釦（動画釦７）を目立つように発光させ、操作性を向上させることができる。なお第５の釦発光制御では、動画記録時間が所定の閾値よりも長い場合を例として動画を停止しようとする場合を説明しているが、これに限定されるものではなく、動画の停止が優先されるその他のシチュエーションにも適用可能である。
【００５８】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００５９】
本実施形態の撮像装置１００は、低消費電力であって、特別な操作の必要無く発光可能な釦（操作部）を発光させ、暗い環境下での視認性を向上させることができる。このため本実施形態によれば、低消費電力で、発光可能な操作部の視認性を向上させることが可能な撮像装置、撮像装置の制御方法、および、プログラムを提供することができる。
【００６０】
以上、本発明の好ましい実施形態について説明したが、本発明はこれらの実施形態に限定されず、その要旨の範囲内で種々の変形及び変更が可能である。
【符号の説明】
【００６１】
７  動画釦（操作手段）
８  ＡＦ釦（操作手段）
９  再生釦（操作手段）
１０  ファインダ
２０  制御部（制御手段）
２１  撮像部（撮像手段）
２４  測光センサ（測光手段）
１００  撮像装置
【図１】
2019113718.tif 000003
【図２】
2019113718.tif 000004
【図３】
2019113718.tif 000005
【図４】
2019113718.tif 000006
【図５】
2019113718.tif 000007
【図６】
2019113718.tif 000008
【図７】
2019113718.tif 000009
【図８】
2019113718.tif 000010